(57)【特許請求の範囲】
【請求項１】
長手方向に延在する複数の中空孔が形成され、かつ、前記中空孔と同一方向に沿って延在するプレストレス鋼材が設けられたコンクリート版であって、
少なくとも前記コンクリート版の隅角部には、外部と前記中空孔の長手側面とを連通する連通部が形成され、
前記連通部は、前記コンクリート版の長手側面に設けられて表面と連通しないスリットであることを特徴とするコンクリート版。
【請求項２】
前記中空孔は、前記コンクリート版の短手方向に複数並んで形成され、
前記中空孔のうち端部側に位置するものの断面積は、少なくとも前記中空孔のうち中央部側に位置するものより小さいことを特徴とする請求項１に記載のコンクリート版。
【請求項３】
長手方向に延在する複数の中空孔が形成され、かつ、前記中空孔と同一方向に沿って延在するプレストレス鋼材が設けられたコンクリート版の接合構造であって、
前記コンクリート版の４つの隅角部には、外部と前記中空孔の長手側面とを連通し、かつ表面と連通しない連通部が形成され、
前記中空孔の少なくとも一部には、前記コンクリート版同士の間隙に打設されたコンクリートが前記連通部を介して充填され、
前記コンクリート版の長手方向に延びる接合目地と前記コンクリート版が一体化されていることを特徴とするコンクリート版の接合構造。
【請求項４】
前記接合目地および前記コンクリートが充填された中空孔に跨って、補強筋が設けられることを特徴とする請求項３に記載のコンクリート版の接合構造。
【発明の詳細な説明】
【技術分野】
【０００１】
本発明は、コンクリート版およびコンクリート版の接合構造に関する。詳しくは、例えば、建物の床を構成するコンクリート版およびこのコンクリート版の接合構造に関する。
【背景技術】
【０００２】
従来より、建物の床には、プレキャストコンクリート版（以降、ＰＣ版と呼ぶ）が用いられる。このようなＰＣ版は、工場で製造され、トレーラなどで建築現場に運搬される。その後、揚重機で揚重されて、互いに隣接する大梁または小梁の間に架設される。
【０００３】
具体的には、ＰＣ版は、矩形状であり、幅方向に並んで配置されて、長手方向の両端側で梁に支持される。このようにＰＣ版を配置すると、梁の上フランジ面上でかつ互いに隣接するＰＣ版同士の間には、目地が形成されるため、この目地にはコンクリートが充填される。
【０００４】
また、ＰＣ版は、例えば、中空孔が形成されたコンクリート版であり、曲げ剛性を向上させるために緊張した鋼材が埋設されている。
このようにＰＣ版に中空孔を形成した理由は、以下の通りである。
すなわち、ＰＣ版は、比重の高いコンクリートで形成されるため、荷重が大きくなる。よって、工場から現場に運搬する際に大型のトレーラが必要であり、また、現場での揚重時に大型の揚重機が必要である。そこで、ＰＣ版に中空孔を形成することで、曲げ剛性を低下させることなく、軽量化を実現する。
【０００５】
ところで、このようなＰＣ版では、面内方向の剪断力が作用すると、ＰＣ版同士の相対位置がずれてしまうという問題がある。そこで、ＰＣ版の長手側面に所定間隔おきに複数のスリットを設け、このスリットを通して中空孔にコンクリートを打設することで、コッタを形成することが提案されている（特許文献１参照）。
【０００６】
このようなスリットは、以下の手順で形成される。
すなわち、スリットの位置を墨出ししておき、コンクリートカッタ用いて、スリットの縁のラインに沿って、直線状の切り込みを入れる。この切り込みを連続させることでＰＣ版のコンクリートを切り欠いて、スリットを形成する。
【特許文献１】特許２７８１１５５号公報
【発明の開示】
【発明が解決しようとする課題】
【０００７】
しかしながら、スリットの縁のラインに沿って切り込みを入れる場合、この切り込みの深さを中空孔まで到達させる必要がある。そのため、実際には、切り込みをラインよりも長めに入れることになる。よって、スリットの入隅部や出隅部では、ＰＣ版に不要な切り込みが入ってしまい、ＰＣ版の剛性を確保することが困難になる、という問題があった。
【０００８】
また、このようなスリットにコンクリートを打設して目地を形成すると、目地につぎはぎが多く形成されてしまい、美観を損ねてしまう。さらに、ＰＣ版の表面に凹凸が発生し、ＰＣ版を直床として用いることが困難となる。
【０００９】
本発明は、相対位置のずれを防止できかつ剛性の低下を抑制できるコンクリート版およびコンクリート版の接合構造を提供することを目的とする。
【課題を解決するための手段】
【００１０】
請求項１に記載のコンクリート版は、長手方向に延在する複数の中空孔が形成され、かつ、前記中空孔と同一方向に沿って延在するプレストレス鋼材が設けられたコンクリート版であって、少なくとも前記コンクリート版の隅角部には、外部と前記中空孔の長手側面とを連通する連通部が形成され、前記連通部は、前記コンクリート版の長手側面に設けられて表面と連通しないスリットであることを特徴とする。
【００１１】
この発明によれば、少なくともコンクリート版の隅角部に、外部と中空孔の長手側面とを連通する連通部を設けた。よって、コンクリート版の長手方向に延びる接合目地を形成する際に、コンクリート版同士の間隙からこの連通部を通して中空孔にコンクリートを充填することにより、このコンクリート版を接合目地と一体化させる。これにより、このコンクリートを充填した部分が面内方向の剪断力に対するコッタとして機能するので、コンクリート版の相対位置のずれを防止できる。よって、剛床が成立し、地震力を耐震要素であるブレースやラーメン柱梁に伝達できる。特に、コンクリート版の上面にトップコンクリートを打設しない場合には、トップコンクリートを打設する場合に比べて、コッタとしての効果が顕著となる。
また、コンクリート版の隅角部に連通部を設けたので、この連通部をコンクリートカッタ用いて形成しても、従来に比べて、コンクリートカッタによる切り込みの数を低減できるから、コンクリート版の剛性の低下を抑制できる。
また、中空孔に充填したコンクリートにより断面積を増加できるので、鉛直方向の剪断力に対する耐力を向上できる。
また、このようなスリットにコンクリートを打設して目地を形成すると、目地のつぎはぎを少なくでき、美観を損ねない。さらに、ＰＣ版の表面の凹凸を減らして、表面を平滑にでき、ＰＣ版を直床として用いることができる。
【００１３】
この発明によれば、連通部をコンクリート版の長手側面にのみスリット状に設けたので、コンクリート版同士の接合目地の目地幅を小さくできる。
【００１４】
請求項２に記載のコンクリート版は、前記中空孔は、前記コンクリート版の短手方向に複数並んで形成され、前記中空孔のうち端部側に位置するものの断面積は、少なくとも前記中空孔のうち中央部側に位置するものより小さいことを特徴とする。
【００１５】
この発明によれば、中空孔のうち端部側に位置するものの断面積を、少なくとも中空孔のうち中央部側に位置するものより小さくした。よって、コンクリート版同士の間隙から連通部を通して中空孔にコンクリートを充填する場合に、このコンクリートの充填量を低減できる。
【００１６】
請求項３に記載のコンクリート版の接合構造は、長手方向に延在する複数の中空孔が形成され、かつ、前記中空孔と同一方向に沿って延在するプレストレス鋼材が設けられたコンクリート版の接合構造であって、前記コンクリート版の４つの隅角部には、外部と前記中空孔の長手側面とを連通し、かつ表面と連通しない連通部が形成され、前記中空孔の少なくとも一部には、前記コンクリート版同士の間隙に打設されたコンクリートが前記連通部を介して充填され、前記コンクリート版の長手方向に延びる接合目地と前記コンクリート版が一体化されていることを特徴とする。
【００１７】
この発明によれば、請求項１と同様の効果がある。
【００１８】
請求項４に記載のコンクリート版の接合構造は、前記接合目地および前記コンクリートが充填された中空孔に跨って、補強筋が設けられることを特徴とする。
【００１９】
この発明によれば、前記接合目地および前記コンクリートが充填された中空孔に跨って補強筋を設けたので、コッタとしての機能をさらに向上できる。
【発明の効果】
【００２０】
本発明によれば、少なくともコンクリート版の隅角部に、外部と中空孔の長手側面とを連通する連通部を設けた。よって、コンクリート版の長手方向に延びる接合目地を形成する際に、コンクリート版同士の間隙からこの連通部を通して中空孔にコンクリートを充填することにより、このコンクリート版を接合目地と一体化させる。これにより、このコンクリートを充填した部分が面内方向の剪断力に対するコッタとして機能するので、コンクリート版の相対位置のずれを防止できる。よって、剛床が成立し、地震力を耐震要素であるブレースやラーメン柱梁に伝達できる。特に、コンクリート版の上面にトップコンクリートを打設しない場合には、トップコンクリートを打設する場合に比べて、コッタとしての効果が顕著となる。また、コンクリート版の隅角部に連通部を設けたので、この連通部をコンクリートカッタ用いて形成しても、従来に比べて、コンクリートカッタによる切り込みの数を低減できるから、コンクリート版の剛性の低下を抑制できる。また、中空孔に充填したコンクリートにより断面積を増加できるので、鉛直方向の剪断力に対する耐力を向上できる。
【発明を実施するための最良の形態】
【００２１】
以下、本発明の実施形態を図面に基づいて説明する。
図１は、本発明の一実施形態に係るコンクリート版が適用された建物１の一部の斜視図である。
建物１の互いに対向する鉄骨梁１０には、床スラブ２０が形成されている。
床スラブ２０は、鉄骨梁１０同士の間に架け渡された複数のコンクリート版３０と、これらコンクリート版３０同士の間に形成された接合目地４０と、で構成される。
【００２２】
図２は、床スラブ２０の平面図であり、図３は、図２のＡ−Ａ断面図であり、図４は、図２のＢ−Ｂ断面図である。
図５は、コンクリート版３０の斜視図である。
コンクリート版３０は、図５に示すように、矩形状であり、短手方向に並んで配置されて、長手方向の両端側で鉄骨梁１０に支持される。
このコンクリート版３０には、長手方向に延在する４つの断面積の等しい中空孔３１が形成され、また、これら中空孔３１と同一方向に沿って延在するプレストレス鋼材３２が設けられている。
ここで、４つの中空孔３１のうち短手方向中央側に位置する２本を中空孔３１Ａとし、短手方向両端側に位置する２本を中空孔３１Ｂとする。
なお、本実施形態では、４つの中空孔３１を形成したが、これに限らず、中空孔の数は適宜設定されてよい。
【００２３】
コンクリート版３０の上面には、コンクリート版３０の上面から短手側面に至る２本のスリット３３が形成されている。
これらスリット３３は、外部と中空孔３１Ａとを連通している。
【００２４】
コンクリート版３０の隅角部の長手側面には、コンクリート版３０の長手側面から短手側面に至る連通部としてのスリット３４が形成されている。
これらスリット３４は、外部と中空孔３１Ｂの長手側面とを連通している。
【００２５】
接合目地４０は、コンクリート版３０の短手方向に延びる接合目地４０Ａと、コンクリート版３０の長手方向に延びる接合目地４０Ｂと、で構成される。
中空孔３１Ａの一部には、スリット３３を介してコンクリートが充填されて、コンクリート充填部３５となっている。これは、このような中空孔３１を有するコンクリート版３０では、鉛直方向に大きな剪断力が端部に作用するため、コンクリート充填部３５によりコンクリート版３０の端部の断面積を増大させて、この剪断力に対する耐力を向上させるためである。
【００２６】
図６は、コンクリート版３０同士の接合部分を示す断面図である。
中空孔３１Ｂの一部には、スリット３４を介してコンクリートが充填されて、コッタ３６となり、コンクリート版３０と接合目地４０Ｂとが一体化している。
【００２７】
以上の接合目地４０は、コンクリート版３０同士の間隙にコンクリートを打設することにより形成される。
また、コンクリート充填部３５およびコッタ３６は、この接合目地４０にコンクリートを打設する際、中空孔３１Ａ、３１Ｂに、型枠３７でコンクリート止めを設けておき、コンクリート版３０同士の間隙からスリット３３を通して中空孔３１Ａにコンクリートを充填するとともに、スリット３４を通して中空孔３１Ｂにコンクリートを充填することで形成される。なお、型枠３７の代わりにスチレンフォームを用いてもよい。
【００２８】
本実施形態によれば、以下のような効果がある。
（１）コンクリート版３０の隅角部に、外部と中空孔３１Ｂの長手側面とを連通するスリット３４を設けた。よって、コンクリート版３０の長手方向に延びる接合目地４０Ｂを形成する際に、コンクリート版３０同士の間隙からこのスリット３４を通して中空孔３１Ｂにコンクリートを充填することにより、このコンクリート版３０を接合目地４０Ｂと一体化させる。これにより、このコンクリートを充填した部分が面内方向の剪断力に対するコッタ３６として機能するので、コンクリート版３０の相対位置のずれを防止できる。よって、剛床が成立し、地震力を耐震要素であるブレースやラーメン柱梁に伝達できる。
また、コンクリート版３０の隅角部にスリット３４を設けたので、このスリット３４をコンクリートカッタ用いて形成しても、従来に比べて、コンクリートカッタによる切り込みの数を低減できるから、コンクリート版３０の剛性の低下を抑制できる。
また、コッタ３６により断面積を増加できるので、鉛直方向の剪断力に対する耐力を向上できる。
また、このようなスリット３４にコンクリートを打設して接合目地４０を形成すると、目地のつぎはぎを少なくでき、美観を損ねない。さらに、コンクリート版３０の表面の凹凸を減らして、表面を平滑にでき、コンクリート版３０を直床として用いることができる。
【００２９】
（２）スリット３４をコンクリート版３０の長手側面にのみスリット状に設けたので、コンクリート版３０同士の接合目地４０Ｂの目地幅を小さくできる。
【００３０】
なお、本発明は前記実施形態に限定されるものではなく、本発明の目的を達成できる範囲での変形、改良等は本発明に含まれるものである。
例えば、本実施形態では、コンクリート版３０の隅角部の長手側面にスリット３４を設けたが、これに限らない。すなわち、図７に示すように、コンクリート版３０Ａの長手側面に加えて上面を含んでスリット３４Ａを形成してもよい。
【００３１】
また、本実施形態では、コンクリート版３０の中空孔３１Ｂの全断面に亘ってコンクリートを充填したが、これに限らない。すなわち、図８に示すように、コンクリート版３０Ｂの中空孔３１Ｂに型枠３７を設け、一部の断面にのみコンクリートを充填してもよい。
【００３２】
また、本実施形態では、コンクリート版３０の中空孔３１Ｂに配筋せずにコンクリートを充填したが、これに限らない。すなわち、図９に示すように、コンクリート版３０Ｃの接合目地４０Ｂおよび中空孔３１Ｂに跨って補強筋３８を設けてもよい。このようにすれば、コッタ３６の機能をさらに向上できる。
また、この場合、補強筋をメッシュ状としてもよく、さらに、コンクリート版３０Ｃを梁上に配置すると、複数のコンクリート版３０Ｃの隅角部が寄せ集められることになるため、これら複数の隅角部に跨って１枚のメッシュ状の補強筋を配置してもよい。
【００３３】
また、本実施形態では、コンクリート版３０の中空孔３１Ａ、３１Ｂの断面積を同一としたが、これに限らない。すなわち、図１０に示すように、コンクリート版３０Ｄの幅方向両端側の中空孔３１Ｂの断面積を、幅方向中央側の中空孔３１Ｂの断面積より小さくしてもよい。
このようにすれば、コンクリート版３０Ｄ同士の間隙からスリット３４を通して中空孔３１Ｂにコンクリートを充填する場合に、このコンクリートの充填量を低減できる。
【００３４】
また、本実施形態では、コンクリート版３０の長手側面にスリット３４を設けたが、これに限らない。すなわち、図１１に示すように、コンクリート版３０Ｅの長手側面に、コア抜きなどにより、複数の円形の連通部としての連通孔３９を設けてもよい。
【図面の簡単な説明】
【００３５】
【図１】本発明の一実施形態に係るコンクリート版が適用された建物の一部の斜視図である。
【図２】前記実施形態に係る建物の床スラブの平面図である。
【図３】図２のＡ−Ａ断面図である。
【図４】図２のＢ−Ｂ断面図である。
【図５】前記実施形態に係るコンクリート版の斜視図である。
【図６】前記実施形態に係るコンクリート版同士の接合部分を示す断面図である。
【図７】本発明の第１の変形例に係るコンクリート版同士の接合部分を示す断面図である。
【図８】本発明の第２の変形例に係るコンクリート版同士の接合部分を示す断面図である。
【図９】本発明の第３の変形例に係るコンクリート版同士の接合部分を示す断面図である。
【図１０】本発明の第４の変形例に係るコンクリート版同士の接合部分を示す断面図である。
【図１１】本発明の第５の変形例に係るコンクリート版の斜視図である。
【符号の説明】
【００３６】
３０、３０Ａ、３０Ｂ、３０Ｃ、３０Ｄ  コンクリート版
３１、３１Ａ、３１Ｂ  中空孔
３２  プレストレス鋼材
３３、３４、３４Ａ  スリット（連通部）
３８  補強筋
３９  連通孔（連通部）
４０、４０Ａ、４０Ｂ  接合目地
【図１】
0004898591.tif 000002
【図２】
0004898591.tif 000003
【図３】
0004898591.tif 000004
【図４】
0004898591.tif 000005
【図５】
0004898591.tif 000006
【図６】
0004898591.tif 000007
【図７】
0004898591.tif 000008
【図８】
0004898591.tif 000009
【図９】
0004898591.tif 000010
【図１０】
0004898591.tif 000011
【図１１】
0004898591.tif 000012